(57)【要約】【課題】再生モードを選択時に、記録媒体に記録された質の悪い不良画像や同じシーンを連続して撮影した類似画像などの不要な画像のみを選択可能なカメラを提供する。【解決手段】撮影画像を記録する記録媒体５１を有し、前記撮影画像を前記記録媒体５１に記録する撮影モードと、前記記録媒体５１に記録された撮影画像を使用者が確認可能な再生モードとを備えるカメラにおいて、前記撮影画像の撮影時に撮像状態を検知する撮像状態検知手段２２１と、前記撮像状態検知手段２２１の出力値に基づいて、前記撮影画像の良不良を判別する画像判別手段２２２とを有し、前記再生モードを選択時に、前記画像判別手段２２２の判別結果に従って、前記記録媒体５１に記録された撮影画像の中で不良と判断された画像のみを選択可能とする制御装置２１を有することを特徴とするカメラ。【選択図】        図７
2004186886.tif 000002
【特許請求の範囲】
【請求項１】
撮影画像を記録する記録媒体を有し、前記撮影画像を前記記録媒体に記録する撮影モードと、前記記録媒体に記録された撮影画像を使用者が確認可能な再生モードとを備えるカメラにおいて、
前記撮影画像の撮影時に撮像状態を検知する撮像状態検知手段と、前記撮像状態検知手段の出力値に基づいて、前記撮影画像の良不良を判別する画像判別手段とを有し、
前記再生モードを選択時に、前記画像判別手段の判別結果に従って、前記記録媒体に記録された撮影画像の中で不良と判断された画像のみを選択可能とする制御装置を有することを特徴とするカメラ。
【発明の詳細な説明】
【０００１】
【発明の属する技術分野】
本発明は、カメラに関するものであり、特に、カメラの記録装置に関するものである。
【０００２】
【従来の技術】
従来、カメラの記録装置は、記録媒体の空き容量が所定量より少なくなり、撮影した画像が記録不可状態になった場合には、記録媒体の空き容量が少ないことを使用者に報知し、撮影不可能となるものや、撮影はできるものの撮影した画像が記録媒体に記録不可能となるものが提案されている。
【０００３】
これによると、記録媒体の空き容量が所定量より多く、撮影した画像が記録可能な場合においては、質の悪い不良画像や同じシーンを連続して撮影した類似画像などの不要な画像であることにも関わらず、質の良い画像などと同様に全て記録媒体に記録する。
【０００４】
また、撮像時の撮像状態を検知する撮像状態検知手段と、撮像時の撮像状態を判別する撮像状態判別手段とを有し、撮影画像の撮像状態及び撮像状態の判別結果を撮影直後に使用者に報知することにより、使用者が再生して画像を確認しなくても、撮影した画像の質を撮影直後に確認可能な記録装置の提案がなされている（例えば、特許文献１参照）。
【０００５】
【特許文献１】
特開平１１−１６８６４４号公報
【０００６】
【発明が解決しようとする課題】
しかしながら、前者の技術では、撮影画像の質に関係なく、記録媒体に撮影した画像が記録されるため、質の悪い不良画像や同じシーンを連続して撮影した類似画像などの不要な画像により記録媒体の容量が無駄に使用されるという問題点があった。
【０００７】
しかも、記録媒体の記録容量が所定量より少なくなり、撮影した画像が記録不可能な状態になった場合には、記録容量が少なく、撮影した画像が記録不可能な状態であることを使用者に報知するだけであり、撮影を継続するためには、使用者が記録媒体に記録された全画像を再生モードによって確認し、不要な画像を選択、消去して記録媒体の空き容量を増やすか、もしくは記録媒体を別の物に交換する必要が生じる。
【０００８】
また、例えば特開平１１−１６８６４４号公報に示される後者の技術では、撮像状態から撮影画像の質を判別して、撮影直後に判別結果を使用者が確認し、撮り直すことは可能であるが、不良画像を消去する場合には、やはり再生モードによって、記録媒体に記録された全画像を確認して不良画像を選択、消去しなければならず、不良画像の選択、消去作業に煩わしさが残る。
【０００９】
また、記録媒体の空き容量が少なく、撮影した画像が記録不可能な状態になった場合においては、やはり、再生モードによって全画像を確認し、その判別結果に基づいて不良画像などを使用者が選択、消去して記録媒体の空き容量を増やすか、もしくは記録媒体を別の物に交換しなければ、撮影を継続することができず、不良画像の選択、消去作業が煩わしいという問題点が生じる。
【００１０】
本発明は、このような従来の問題点に鑑みてなされたものであり、撮影画像を記録する記録媒体を有し、前記撮影画像を前記記録媒体に記録する撮影モードと、前記記録媒体に記録された撮影画像を使用者が確認可能な再生モードとを備えるカメラにおいて、再生モードを選択時に、記録媒体に記録された質の悪い不良画像や同じシーンを連続して撮影した類似画像などの不要な画像のみを選択可能なカメラを提供することを目的とする。
【００１１】
【課題を解決するための手段】
本発明は、下記の技術的構成により前記目的を達成できたものである。
【００１２】
（１）撮影画像を記録する記録媒体を有し、前記撮影画像を前記記録媒体に記録する撮影モードと、前記記録媒体に記録された撮影画像を使用者が確認可能な再生モードとを備えるカメラにおいて、前記撮影画像の撮影時に撮像状態を検知する撮像状態検知手段と、前記撮像状態検知手段の出力値に基づいて、前記撮影画像の良不良を判別する画像判別手段とを有し、前記再生モードを選択時に、前記画像判別手段の判別結果に従って、前記記録媒体に記録された撮影画像の中で不良と判断された画像のみを選択可能とする制御装置を有することを特徴とするカメラ。
【００１３】
（２）撮影画像を記録する記録媒体を有し、前記撮影画像を前記記録媒体に記録する撮影モードと、前記記録媒体に記録された撮影画像を使用者が確認可能な再生モードとを備えるカメラにおいて、前記撮影画像の撮影時に撮影日時を検知する日時検知手段と、前記記録媒体に既に記録されている画像と新たに撮影された画像のインターバル時間を検出するインターバル時間検出手段と、前記画像のインターバル時間検出結果から判断して、連続して撮影された類似画像か否かを判別する画像判別手段とを有し、前記再生モードを選択時に、前記画像判別手段の判別結果に基づいて、前記記録媒体に記録された撮影画像の中で類似画像と判断された画像のみを選択可能とする制御装置を有することを特徴とするカメラ。
【００１４】
（３）撮影画像を記録する記録媒体を有し、前記撮影画像を前記記録媒体に記録する撮影モードと、前記記録媒体に記録された撮影画像を使用者が確認可能な再生モードとを備えるカメラにおいて、前記撮影画像がブラケットモードで撮影されたか否かを検知するブラケット検知手段と、前記ブラケット検知手段の出力値に基づいて、連続して撮影された類似画像か否かを判別する画像判別手段とを有し、前記再生モードを選択時に、前記画像判別手段の判別結果に従って、前記記録媒体に記録された撮影画像の中で類似画像と判断された画像のみを選択可能とする制御装置を有することを特徴とするカメラ。
【００１５】
（４）前記記録媒体の空き容量を検出する空き容量検出手段を有し、前記制御装置は、前記記録媒体の空き容量検出結果に従って、空き容量が所定量より少なくなった場合に、前記画像判別手段の判別結果に基づく選択制御を有効にすることを特徴とする前記（１）項記載のカメラ。
【００１６】
（５）前記記録媒体の空き容量を検出する空き容量検出手段を有し、前記制御装置は、前記記録媒体の空き容量検出結果に従って、空き容量が所定量より少なくなった場合に、前記画像判別手段の判別結果に基づく選択制御を有効にすることを特徴とする前記（２）項記載のカメラ。
【００１７】
（６）前記記録媒体の空き容量を検出する空き容量検出手段を有し、前記制御装置は、前記記録媒体の空き容量検出結果に従って、空き容量が所定量より少なくなった場合に、前記画像判別手段の判別結果に基づく選択制御を有効にすることを特徴とする前記（３）項記載のカメラ。
【００１８】
（７）前記制御装置は、前記記録媒体の交換を行った場合に、交換した記録媒体の空き容量が所定量より多い場合には、前記撮影モードに自動的に切り替わり、前記交換した記録媒体の空き容量が所定量より少ない場合には、前記再生モードに自動的に切り替わり、前記画像判別手段の判別結果に基づく選択制御を有効にすることを特徴とする前記（１）項または（４）項記載のカメラ。
【００１９】
（８）前記制御装置は、前記記録媒体の交換を行った場合に、交換した記録媒体の空き容量が所定量より多い場合には、前記撮影モードに自動的に切り替わり、前記交換した記録媒体の空き容量が所定量より少ない場合には、前記再生モードに自動的に切り替わり、前記画像判別手段の判別結果に基づく選択制御を有効にすることを特徴とする前記（２）項または（５）項記載のカメラ。
【００２０】
（９）前記制御装置は、前記記録媒体の交換を行った場合に、交換した記録媒体の空き容量が所定量より多い場合には、前記撮影モードに自動的に切り替わり、前記交換した記録媒体の空き容量が所定量より少ない場合には、前記再生モードに自動的に切り替わり、前記画像判別手段の判別結果に基づく選択制御を有効にすることを特徴とする前記（３）項または（６）項記載のカメラ。
【００２１】
（１０）前記記録媒体に記録された撮影画像を表示して使用者が確認可能な表示部と、前記表示部に表示された画像より使用者が消去する画像を選択可能な選択部材とを有することを特徴とする前記（１）項ないし（９）項のいずれか記載のカメラ。
【００２２】
前記（１）項、（１０）項の作用として、
再生モード選択時に、画像判別手段の判別結果に従って、記録媒体に記録された画像の内、不良と判断された画像のみを選択可能とすることにより、不良画像の選択、消去作業が迅速に行えるようになる。
【００２３】
前記（２）項、（３）項、（１０）項の作用として、
再生モード選択時に、画像判別手段の判別結果に従って、記録媒体に記録された画像の内、類似画像と判断された画像のみを選択可能とすることにより、不要な類似画像の選択、消去作業が迅速に行えるようになる。
【００２４】
前記（４）項、（１０）項の作用として、
記録媒体の空き容量が所定量より少なくなり、撮影した画像が記録不可能な状態になった場合においても、再生モード選択時に、画像判別手段の判別結果に従って、記録媒体に記録された画像の内、不良と判断された画像のみを選択可能とすることにより、不良画像の選択、消去作業が迅速に行えるようになり、迅速な撮影動作への移行が可能となる。
【００２５】
前記（５）項、（６）項、（１０）項の作用として、
記録媒体の空き容量が所定量より少なくなり、撮影した画像が記録不可能な状態になった場合においても、再生モード選択時に、画像判別手段の判別結果に従って、記録媒体に記録された画像の内、類似画像と判断された画像のみを選択可能とすることにより、不要な類似画像の選択、消去作業が迅速に行えるようになり、迅速な撮影動作への移行が可能となる。
【００２６】
前記（７）項、（１０）項の作用として、
記録媒体の交換を行った場合において、交換した記録媒体の空き容量が所定量より多い場合には、自動的に撮影モードに切り替わることにより、迅速な撮影動作への移行が可能となる。また、交換した記録媒体の空き容量が所定量より少ない場合には、自動的に再生モードに切り替わることにより、迅速な不良画像の選択、消去作業への移行が可能となる。
【００２７】
前記（８）項、（９）項、（１０）項の作用として、
記録媒体の交換を行った場合において、交換した記録媒体の空き容量が所定量より多い場合には、自動的に撮影モードに切り替わることにより、迅速な撮影動作への移行が可能となる。また、交換した記録媒体の空き容量が所定量より少ない場合には、自動的に再生モードに切り替わることにより、迅速な不要類似画像の選択、消去作業への移行が可能となる。
【００２８】
【発明の実施の形態】
以下、本発明の実施形態を図面に沿って説明する。
【００２９】
本実施形態のカメラは、カメラに着脱可能な外部記録媒体を装着可能であり、外部記録媒体に撮影した撮影画像を記録可能なデジタルカメラである。
【００３０】
図１は、本実施形態のデジタルカメラの回路構成例を示すブロック図であって、（ａ）はデジタルカメラの回路構成図、（ｂ）は制御部の拡大図である。
【００３１】
１１は光学系、１２は信号変換部、１３は信号処理部、１４はＤＲＡＭ、２０は制御部、２１は、制御装置であるＣＰＵ、２２はＲＡＭ、２３はＲＯＭ、２４はタイマ、３０は操作部、３４は簡易選択モード釦、３５は撮影／再生モード切替えスイッチ、４０は表示部、４５は、ＯＳＤデータ用ＲＯＭ、５０は記録部、５１は、記録媒体であるメモリーカード、６０は内蔵時計、９０は電源、１００はデジタルカメラ、１１１は撮影レンズ、１１２は自動絞り機構である。
【００３２】
図１（ａ）で、デジタルカメラ１００は、光学系１１、信号変換部１２、信号処理部１３、ＤＲＡＭ１４、制御部２０、操作部３０、表示部４０、ＯＳＤデータ用ＲＯＭ４５、記録部５０、内蔵時計６０及び電源９０を有している。
【００３３】
また、図示していないが、メモリーカード５１の空き容量を検出する空き容量検出手段を有している。
【００３４】
また、振動検知装置などの撮像状態検知装置とそれらに接続するＡ／Ｄ変換器を設けるようにしてもよい。
【００３５】
光学系１１は、撮影レンズ１１１と測光装置を含む自動絞り機構１１２を含み、撮影レンズ１１１を介して集光された被写体像の光束を後段のＣＣＤなどの撮像素子（不図示）上に結像させる。
【００３６】
信号変換部１２は、図示していない撮像素子、撮像素子駆動用タイミング信号生成回路、撮像素子駆動用垂直ドライバ、自動利得制御回路及びＡ／Ｄ変換器を含み、前段の光学系１１を介して不図示の撮像素子に結像した画像を電気信号に変換し、デジタルデータ（以下、画像データ）に変換して一定の周期で出力する。
【００３７】
信号処理部１３は、図示していないカラープロセス回路及びＤＭＡコントローラを有し、信号変換部１２からの出力をカラープロセス処理して、デジタルの輝度、色差マルチプレクス信号（ＹＵＶデータ）とし、ＹＵＶデータをＤＲＡＭ１４の指定領域にＤＭＡ（ダイレクトメモリーアクセス）転送し、展開する。
【００３８】
また、信号処理部１３は、記録保存の際にＤＲＡＭ１４に書き込まれているＹＵＶデータを読み出してＪＰＥＧ圧縮処理を施す。
【００３９】
また、記録部５０に取り込まれたメモリーカード５１に保存記録されていた画像データに伸張処理を施してＹＵＶデータを再生する。
【００４０】
制御部２０は、図１（ｂ）に示すように、ＣＰＵ２１、ＲＡＭ２２、ＲＯＭ２３及びタイマー２４を有している。
【００４１】
ＣＰＵ２１は、前述の各回路及び不図示の電源切替えスイッチ等にバスラインを介して接続し、ＲＯＭ２３に格納されている制御プログラムによりデジタルカメラ１００全体の制御を行うと共に、操作部３０からの状態信号に対応してデジタルカメラの各機能の実行制御、例えば、ＲＯＭ内に格納された各処理手段の実行による各機能の実現のための実行制御を行う。
【００４２】
ＲＡＭ２２は、データ或いは処理結果の一時記憶及び中間作業領域等に用いられる。
【００４３】
ＲＯＭ２３は、前述の制御プログラム及びデジタルカメラ１００のその他の各機能を実行させるためのプログラムを記録する記録媒体であり、ＰＲＯＭ、ＦＲＯＭ（フラッシュＲＯＭ）等が用いられる。
【００４４】
操作部３０は、処理モード切替えスイッチ、機能選択用釦（複数個）、メインスイッチ３５、ストロボ設定釦、レリーズ釦、十字キー、撮影／再生モード切替えスイッチ等のスイッチ釦を構成部分とし、これらスイッチ或いは、釦が操作されると状態信号がＣＰＵ２１に送出される。
【００４５】
表示部４０は、液晶ディスプレイ装置等の表示装置から構成される。
【００４６】
また、再生モード時には再生画像を表示できる。
【００４７】
ＲＯＭ４５には、表示部４０に表示するＯＳＤ（挿入表示）用の記号や、図形及び文字等の情報及び撮像状態コードと、撮像状態報知用のイラストデータの組が登録されている。
【００４８】
記録部５０は、記録媒体を収容し、ＣＰＵ２１の制御によりメモリーカード５１上に信号処理部１３からの画像データを記録する。
【００４９】
なお、記録部５０は、記録媒体としてのメモリーカード５１を着脱可能に構成し、データの書込／読み出しを行うように構成している。
【００５０】
また、記録部５０は、メモリーカード５１が収容されているか否かを検知する図示していないセンサを備えている。
【００５１】
なお、ＲＯＭ４５に代えてメモリーカード５１にＯＳＤ用の記号や、図形および文字等の情報および画像の撮像状態コードと撮像状態報知用のイラストデータの組を登録するようにしてもよい。
【００５２】
図２は、ＲＯＭ４５に登録されているイラストデータの例を示す説明図である。
【００５３】
４５２はイラストデータ登録リスト、４５３は、カメラの手振れによる撮像不良であることを意味するイラストデータ、４５４は、ピンボケによる撮像不良であることを意味するイラストデータ、４５５は、光量の過不足による撮像不良であることを意味するイラストデータ、４５６は、撮影間隔が短いことを意味するイラストデータ、４５７は、ＡＥＢモードで撮影されたことを意味するイラストデータである。
【００５４】
ＲＯＭ４５にはイラストデータ登録リスト４５２用の領域が確保され、イラストデータ登録リスト４５２には画像の撮像状態を示す状態コードと対応のイラストデータがデジタル化されて登録されている。
【００５５】
図２の例では、コード「００」にはカメラの手振れによる撮像不良であることを意味するイラストデータ４５３が対応し、コード「０１」にはピンボケによる撮像不良であることを意味するイラストデータ４５４が対応し、コード「０２」には光量の過不足による撮像不良であることを意味するイラストデータ４５５が対応し、コード「０３」には撮影間隔が短いことを意味するイラストデータ４５６が対応し、コード「０４」にはＡＥＢモードで撮影されたことを意味するイラストデータ４５７が対応し、以下、「０５」，「０６」〜「ｎ」には撮像時に生じた撮像不良状態等を表すイラストデータがそれぞれ対応付けられて登録されている。
【００５６】
図３は、本実施例のカメラの外観図であって、（ａ）は平面図、（ｂ）は背面図である。
【００５７】
３６は、画像選択などに使用する十字キー、３７はレリーズ釦、３８は、選択した画像などを決定する決定釦、３９はＡＥＢモード釦、４０は表示部を表している。
【００５８】
画像選択などに使用する十字キー３６、レリーズ釦３７、選択した画像などを決定する決定釦３８、ＡＥＢモード釦３９は、画像を選択可能な選択部材を構成する。
【００５９】
以下、実施例を用いて、本発明について詳細に説明する。
【００６０】
（実施例１）    撮像状態による画像の判別
本実施例では、撮像後に画像の撮像状態（以下、撮像状態と記す）、例えば、カメラの手振れ、ピンボケ、光量の過不足、汚れ等の有無を分析して、撮像状態から画像の良不良を判別し、再生モードを選択時に、メモリーカード５１に記録された画像の中で不良と判断された画像のみを選択可能とする。
【００６１】
不良画像の報知方法として、以下の実施例では、図１の構成例のように液晶ディスプレイのような表示装置に撮像状態をイラスト表示することによって使用者に報知する例について述べるが、音声出力部を備え撮像状態を音声メッセージによって使用者に報知するようにしてもよく、また、ランプ表示等によって撮像状態を報知することもできる。
【００６２】
図４は、撮像状態検出手段の構成を示すブロック図である。
【００６３】
２２０は撮像状態検出手段、２２１、２２１−１、２２１−２、…、２２１−ｎは撮像状態検知手段、２２２は、画像判別手段である撮像状態分析手段、２２２−１、２２２−２、…、２２２−ｎは撮像状態分析モジュール、２２３は撮像状態データ出力手段である。
【００６４】
撮像状態検出手段２２０は、撮像状態検知手段２２１−１〜２２１−ｎ、撮像状態分析手段２２２、および撮像状態データ出力手段２２３を有している。
【００６５】
撮像状態検知手段２２１は、デジタルカメラ１００の撮像時の状態や画像の状態を検知する各手段（装置、回路或いはプログラムモジュール）２２１−１〜２２１−ｎから構成されている。
【００６６】
例えば、撮像状態検知手段２２１−１としてカメラの手振れ検知用に振動検知器を、撮像状態検知手段２２１−２としてピンボケ検出用に信号処理部１３のカラープロセス回路を、撮像状態検知手段２２１−３として光量過不足検出用に自動絞り機構１１２の光量測定装置を、撮像状態検知手段２２１−４としてレンズ汚れの検出用に信号処理部１３のカラープロセス回路を用いることができる。
【００６７】
撮像状態分析手段２２２は、撮像状態検知手段２２１−１〜２２１−ｎに対応する撮像状態分析モジュール２２２−１〜２２２−ｎで構成され、撮像状態検知手段２２１−１〜２２１−ｎで得たそれぞれの状態を分析して、その撮像状態を判定し、その結果を出力値として、撮像状態データ出力手段２２３を介して撮像状態検出フラグテーブル（図５（ａ））の対応の撮像状態フラグ領域にセットする。
【００６８】
図５は、撮像状態検出フラグテーブルの例を示す図であって、（ａ）は実施例１のフラグテーブルを示す図、（ｂ）は実施例２のフラグテーブルを示す図、（ｃ）は実施例３のフラグテーブルを示す図である。
【００６９】
８０、８１、８２は撮像状態検出フラグテーブルである。
【００７０】
撮像状態検出フラグテーブル８０は、２桁の判別領域１個とそれぞれ２桁の状態フラグ領域ｎ個からなっている。
【００７１】
状態フラグ領域１〜ｎは、撮像状態分析モジュール２２２−１〜２２２−ｎに対応して設けられる。
【００７２】
撮像状態分析手段２２２の撮像状態分析モジュール２２２−１〜２２２−ｎは、それぞれ分析結果を判別する閾値（αｎ，βｎ）を持っており、分析結果をαｎより小さい場合、αｎ以上βｎ以下の場合（ただし、βｎはαｎより大きい値である）、βｎより大きい場合の３つの場合に判別する。
【００７３】
図６は、撮像状態分析動作及び判別動作の一例を示すフローチャートである。
【００７４】
撮影モードでは、デジタルカメラ１００に設けられた振動検知装置による振動測定や、光量測定装置による光量測定や、カラープロセス回路による各種信号の生成等による画像の取込状態検知が行われる（Ｓ１）。
【００７５】
ＣＰＵ２１は、レリーズ釦３７が押されたか否かを調べ（Ｓ２）、レリーズ釦３７が押されると、撮像時点において検知された各種状態データを対応の撮像状態分析モジュール２２２−１〜２２２−ｎで分析する（Ｓ３）。
【００７６】
上記Ｓ３での分析結果がそれぞれの対応の閾値αｎより小さいか否かを調べ（Ｓ４）、小さいものについては撮像状態に異常なしとして撮像状態検出フラグテーブル８０の対応の状態フラグをオフ（＝００）にし（Ｓ５）、Ｓ１０へ進む。
【００７７】
次に、分析結果が閾値αｎを超える場合には、ぞれぞれの対応の閾値αｎ以上βｎ以下（ただし、βｎはαｎよりも大きい値である）であるか否かを調べ（Ｓ６）、αｎ以上βｎ以下のものについては撮像状態に少し異常ありとして、対応の状態フラグをオン（＝０１）とし（Ｓ７）、Ｓ１０へ進む。
【００７８】
さらに、分析結果がそれぞれの対応の閾値βｎより大きい場合には、撮像状態にかなり異常ありとして、対応の状態フラグをオン（＝１０）とする（Ｓ８）。
【００７９】
一つでも状態フラグがオン（＝１０）にセットされた場合には、撮影された画像にかなり異常あり（不可画像）として、判別フラグをオン（＝１０）とする（Ｓ９）。
【００８０】
また、Ｓ１０では、全ての状態フラグがオフか否かを調べ、全てがオフの場合には撮影された画像に異常なし（良画像）として判別フラグをオフ（＝００）とし（Ｓ１１）、１つでもオン（＝０１）の状態フラグがある場合には、撮影された画像に少し異常あり（可画像）として判別フラグをオン（＝０１）とする（Ｓ１２）。
【００８１】
各撮像状態の分析結果は、図５（ａ）に示す撮像状態検出フラグテーブル８０の各画像Ｎｏ．１〜ｍの対応する状態フラグ領域１〜ｎに格納される。
【００８２】
また、画像の判別結果も撮像状態検出フラグテーブル８０の対応する画像Ｎｏ．１〜ｍの判別フラグ領域に格納される。
【００８３】
図５（ａ）の例では、画像Ｎｏ．１は状態フラグ１〜ｎが全てオフ（＝００）で、判別フラグがオフ（＝００）の状態（良画像）であり、画像Ｎｏ．２は状態フラグ１〜ｎがオフ（＝００）またはオン（＝０１）で、判別フラグがオン（＝０１）の状態（可画像）であり、画像Ｎｏ．３は状態フラグ１〜ｎにオン（＝１０）のものがあって、判別フラグがオン（＝１０）の状態（不可画像）であることが示されている。
【００８４】
撮像状態検出フラグテーブル８０は、メモリーカード５１に画像データを記録すると同時に、画像データの撮像状態を表す情報として、メモリーカード５１に記録される。
【００８５】
また、メモリーカード５１に記録された画像のＮｏ．と撮像状態フラグテーブル８０の画像Ｎｏ．は対応しており、各画像データと各画像の撮像状態フラグ及び判別フラグは対応している。
【００８６】
図７は、再生モード選択時の液晶表示部４０の表示切替え及び表示された画像の選択切替えを示すフローチャートである。
【００８７】
また、図８は、再生モード選択時の画像選択画面の一例を示す図であって、（ａ）は全て選択可能な状態の図、（ｂ）は一部選択可能な状態の図である。
【００８８】
２００は選択フレーム、Ｇは、グレー表示された画像である。
【００８９】
なお、４５３はカメラの手振れによる撮像不良状態であることを、４５４はピンボケによる撮像不良状態であることを、４５５は光量の過不足による撮像不良であることを表すイラストである。
【００９０】
ＣＰＵ２１は、撮影／再生モード切替えスイッチ３５が再生モードに設定されているか否かを検出する（Ｔ１）。
【００９１】
次に、空き容量検出手段（不図示）により、メモリーカード５１の空き容量を検出し、メモリーカード５１の空き容量が所定量以上であるか否かを調べる（Ｔ２）。
【００９２】
メモリーカード５１の空き容量が所定量以上あり、次に撮影される画像データがメモリーカード５１に記録可能な場合には、簡易選択モード釦３４が簡易選択モードに設定されているか否かを調べる（Ｔ３）。
【００９３】
簡易選択モードに設定されていない場合には、図８（ａ）に示すように、液晶表示部４０にメモリーカード５１に記録されている全ての画像を９枚ずつインデックス表示し、十字キー３６で選択フレーム２００を移動させ、決定釦３８で決定することにより、液晶表示部４０に表示されている全ての画像が選択可能となる（Ｔ１０）。
【００９４】
Ｔ２で、メモリーカード５１の空き容量が所定量未満であり、次に撮影される画像データが記録不可な場合、または、Ｔ３で、簡易選択モードに設定されている場合には、メモリーカード５１に既に記録されている画像データの撮像状態フラグテーブル８０の判別フラグを検出し、全ての画像Ｎｏ．１〜ｍの判別フラグがオフ（＝００）であるか否かを調べる（Ｔ４）。
【００９５】
全ての画像Ｎｏ．１〜ｍの判別フラグがオフ（＝００）である場合には、図８（ａ）に示すように、簡易選択モードに設定されていない場合と同様に、液晶表示部４０にメモリーカード５１に記録されている全ての画像を９枚ずつインデックス表示し、十字キー３６で選択フレーム２００を移動させ、決定釦３８で決定することにより、液晶表示部４０に表示されている全ての画像が選択可能となる（Ｔ１０）。
【００９６】
次に、メモリーカード５１に記録された画像の中に判別フラグオン（＝０１または１０）の画像（可画像または不可画像）が存在する場合には、その中に判別フラグ（＝１０）の画像が存在するか否かを調べ（Ｔ５）、判別フラグ（＝１０）の画像（不可画像）が存在する場合には、図８（ｂ）に示すように、液晶表示部４０にメモリーカード５１に記録されている全ての画像を９枚ずつインデックス表示する。
【００９７】
ただし、撮像状態検出フラグテーブル８０の状態フラグを検出し、状態フラグオン（＝１０）の状態コードに対応するイラストデータをＲＯＭ４５のイラストデータ登録リスト４５２より読み出して、不可画像の下に不良と判断された撮像状態を表すイラスト（４５３〜４５４）を赤色で表示し（Ｔ６）、十字キー３６で選択フレーム２００を移動させ、決定釦３８で決定することにより、判別フラグオン（＝１０）の画像（不可画像）が選択可能となる（Ｔ７）。
【００９８】
判別フラグオンで、判別フラグ（＝１０）の画像（不可画像）が存在しない場合、すなわち、メモリーカード５１内に可画像（判別フラグ＝０１）及び良画像（判別フラグ＝００）しか記録されていない場合には、撮像状態検出フラグテーブル８０の状態フラグを検出し、状態フラグオン（＝０１）の状態コードに対応するイラストデータをＲＯＭ４５のイラストデータ登録リスト４５２より読み出して、可画像の下に不良と判断された撮像状態を表すイラスト（４５５等）を黄色で表示し（Ｔ８）、十字キー３６で選択フレーム２００を移動させ、決定釦３８で決定することにより、判別フラグオン（＝０１）の画像（可画像）が選択可能となる（Ｔ９）。
【００９９】
このとき、判別フラグオフ（＝００）の画像（良画像）は液晶表示部４０にグレー表示され、選択不可能となる（図８（ｂ））。
【０１００】
なお、Ｔ１で撮影／再生モード切替えスイッチ３５が再生モードに設定されているか否かを検出するかわりに、撮影／再生モードの切替えを自動的に行うようにしてもよい。図１５を用いて説明する。
【０１０１】
図１５は、メモリーカード５１を交換した場合における撮影／再生モードの切替え動作を示すフローチャートである。
【０１０２】
ＣＰＵ２１は、記録部５０にメモリーカード５１が挿入されたか否かを検出する（Ｙ１）。
【０１０３】
次に、メモリーカード５１の空き容量を検出し、メモリーカード５１の空き容量が所定量以上であるか否かを調べる（Ｙ２）。
【０１０４】
メモリーカード５１の空き容量が所定量以上あり、次に撮影される画像データがメモリーカード５１に記録可能な場合には、撮影／再生モード切替えスイッチ３５の検出結果に関わらず、ＣＰＵ２１を介して自動的に撮影モードに切り替わり、撮影待機状態に入る（Ｙ３）。
【０１０５】
メモリーカード５１の空き容量が所定量未満であり、次に撮影される画像データが記録不可な場合には、撮影／再生モード切替えスイッチ３５の検出結果に関わらず、ＣＰＵ２１を介して自動的に再生モード（簡易選択モード）に切り替わり、液晶表示部４０にメモリーカード５１に記録されている全ての画像を９枚ずつインデックス表示し、画像選択画面になる（Ｙ４）。
【０１０６】
以下、液晶表示部４０の表示切替え及び表示された画像の選択切替えについては、図６，図７のフローチャートに基づいて行われる。
【０１０７】
（実施例２）    撮影インターバルによる画像の判別
本実施例では、撮像状態検知手段２２１の一構成として、日時検知手段およびインターバル時間検出手段を用い、撮像状態分析手段２２２で、日時検知手段およびインターバル時間検出手段で得たインターバル時間を分析して、類似画像を判定し、その結果を出力値として、撮像状態データ出力手段２２３を介して撮像状態検出フラグテーブル（図５（ｂ））の対応の撮像状態フラグ領域にセットする。
【０１０８】
これによって、メモリーカード５１に記録されている画像データの撮影インターバルから画像の要不要を判別し、再生モードを選択時に、メモリーカード５１に記録された画像の中で撮影インターバルが短いと判断された画像グループのみを選択可能とする。
【０１０９】
図９は、撮影インターバルによる画像の要不要の判別動作の一例を示すフローチャートである。
【０１１０】
撮影モードでは、デジタルカメラ１００に設けられた内蔵時計６０により撮影日時の検知が行われる（Ｕ１）。
【０１１１】
ＣＰＵ２１は、レリーズ釦３７が押されたか否かを調べ（Ｕ２）、レリーズ釦３７が押されると、撮像時点において検知された撮影日時ｔ１とメモリーカード５１に既に記録されている各画像データの撮影日時ｔｎの差Δｔｎ（＝ｔ１−ｔｎ）を演算する（Ｕ３）。
【０１１２】
演算結果からΔｔｎが予め設定された時間ｔｄより小さいか否かを調べ（Ｕ４）、Δｔｎが予め設定された時間ｔｄより小さい場合には、両画像のインターバルフラグをオン（＝１）とする（Ｕ５）。
【０１１３】
また、Δｔｎが予め設定された時間ｔｄ以上の場合には、両画像のインターバルフラグをオフ（＝０）とする（Ｕ６）。
【０１１４】
各画像のインターバル検出結果は、図５（ｂ）に示す撮像状態検出フラグテーブル８１の各画像Ｎｏ．１〜ｍの対応するインターバルフラグ領域に格納される。
【０１１５】
また、画像の撮影日時ｔｉも対応する画像の撮影日時領域に格納される。
【０１１６】
図５（ｂ）の例では、画像Ｎｏ．２とＮｏ．３の撮影間隔が短く、両画像のインターバルフラグがオン（＝１）の状態（不要画像あり）が示されている。
【０１１７】
撮像状態検出フラグテーブル８１は、メモリーカード５１に画像データを記録すると同時に、画像データの撮像状態を表す情報として、メモリーカード５１に記録される。
【０１１８】
また、メモリーカード５１に記録された画像のＮｏ．と撮像状態フラグテーブル８１の画像Ｎｏ．は対応しており、各画像データと各画像の撮影日時及びインターバルフラグは対応している。
【０１１９】
図１０は、再生モード選択時の液晶表示部４０の表示切替え及び表示された画像の選択切替えを示すフローチャートである。
【０１２０】
また、図１１は、再生モード選択時の画像選択画面の一例を示す図であって、（ａ）は全て選択可能な状態の図、（ｂ）は一部選択可能な状態の図である。
【０１２１】
ＣＰＵ２１は、撮影／再生モード切替えスイッチ３５が再生モードに設定されているか否かを検出する（Ｖ１）。
【０１２２】
次に、空き容量検出手段（不図示）により、メモリーカード５１の空き容量を検出し、メモリーカード５１の空き容量が所定量以上であるか否かを調べる（Ｖ２）。
【０１２３】
メモリーカード５１の空き容量が所定量以上あり、次に撮影される画像データがメモリーカード５１に記録可能な場合には、簡易選択モード釦３４が簡易選択モードに設定されているか否かを調べる（Ｖ３）。
【０１２４】
簡易選択モードに設定されていない場合には、図１１（ａ）に示すように、液晶表示部４０にメモリーカード５１に記録されている全ての画像を９枚ずつインデックス表示し、十字キー３６で選択フレーム２００を移動させ、決定釦３８で決定することにより、液晶表示部４０に表示されている全ての画像が選択可能となる（Ｖ８）。
【０１２５】
メモリーカード５１の空き容量が所定量未満であり、次に撮影される画像データが記録不可な場合、または、Ｖ３で、簡易選択モードに設定されている場合には、メモリーカード５１に既に記録されている画像データの撮像状態フラグテーブル８１のインターバルフラグを検出し、全ての画像Ｎｏ．１〜ｍのインターバルフラグがオフ（＝０）であるか否かを調べる（Ｖ４）。
【０１２６】
全ての画像Ｎｏ．１〜ｍのインターバルフラグがオフ（＝０）である場合には、図１１（ａ）に示すように、簡易選択モードに設定されていない場合と同様に、液晶表示部４０にメモリーカード５１に記録されている全ての画像を９枚ずつインデックス表示し、十字キー３６で選択フレーム２００を移動させ、決定釦３８で決定することにより、液晶表示部４０に表示されている全ての画像が選択可能となる（Ｖ８）。
【０１２７】
次に、メモリーカード５１に記録された画像の中にインターバルフラグオン（＝１）の画像（同じシーンを連続して撮影した画像）グループが存在する場合（Ｖ５）には、図１１（ｂ）に示すように、液晶表示部４０にメモリーカード５１に記録されている全ての画像を９枚ずつインデックス表示する。
【０１２８】
ただし、撮像状態検出フラグテーブル８１のインターバルフラグを検出し、インターバルフラグオン（＝１）に対応するイラストデータをＲＯＭ４５のイラストデータ登録リスト４５２より読み出して、対応する画像の下に撮影間隔が短いことを表すイラスト（４５６）を表示し（Ｖ６）、十字キー３６で選択フレーム２００を移動させ、決定釦３８で決定することにより、インターバルフラグオン（＝１）の画像（同じシーンを連続して撮影した画像）が選択可能となる（Ｖ７）。
【０１２９】
このとき、インターバルフラグオフ（＝０）の画像は液晶表示部４０にグレー表示され、選択不可能となる（図１１（ｂ））。
【０１３０】
なお、Ｖ１で撮影／再生モード切替えスイッチ３５が再生モードに設定されているか否かを検出するかわりに、撮影／再生モードの切替えを自動的に行うようにしてもよい。図１５を用いて説明する。
【０１３１】
図１５は、メモリーカード５１を交換した場合における撮影／再生モードの切替え動作を示すフローチャートである。
【０１３２】
ＣＰＵ２１は、記録部５０にメモリーカード５１が挿入されたか否かを検出する（Ｙ１）。
【０１３３】
次に、メモリーカード５１の空き容量を検出し、メモリーカード５１の空き容量が所定量以上であるか否かを調べる（Ｙ２）。
【０１３４】
メモリーカード５１の空き容量が所定量以上あり、次に撮影される画像データがメモリーカード５１に記録可能な場合には、撮影／再生モード切替えスイッチ３５の検出結果に関わらず、ＣＰＵ２１を介して自動的に撮影モードに切り替わり、撮影待機状態に入る（Ｙ３）。
【０１３５】
メモリーカード５１の空き容量が所定量未満であり、次に撮影される画像データが記録不可な場合には、撮影／再生モード切替えスイッチ３５の検出結果に関わらず、ＣＰＵ２１を介して自動的に再生モード（簡易選択モード）に切り替わり、液晶表示部４０にメモリーカード５１に記録されている全ての画像を９枚ずつインデックス表示し、画像選択画面になる（Ｙ４）。
【０１３６】
以下、液晶表示部４０の表示切替え及び表示された画像の選択切替えについては、図９，図１０のフローチャートに基づいて行われる。
【０１３７】
（実施例３）    ブラケット撮影による画像の判別
本実施例では、撮像状態検知手段２２１の一構成として、ブラケット検知手段を用い、撮像状態分析手段２２２で、ブラケット検知手段の出力値に基づいて、類似画像を判定し、その結果を出力値として、撮像状態データ出力手段２２３を介して撮像状態検出フラグテーブル（図５（ｃ））の対応の撮像状態フラグ領域にセットする。
【０１３８】
これによって、メモリーカード５１に記録されている画像データが自動露出補正によるブラケット撮影（ＡＥＢ）によって撮影されたか否かにより、画像の要不要を判別し、再生モードを選択時に、メモリーカード５１に記録された画像の中でブラケットモードによって撮影された画像のみを選択可能とする。
【０１３９】
図１２は、ブラケット撮影による画像の要不要の判別動作の一例を示すフローチャートである。
【０１４０】
デジタルカメラ１００に設けられたＡＥＢモード釦３９からの取り込み検知が行われる（Ｗ１）。
【０１４１】
ＣＰＵ２１は、レリーズ釦３７が押されたか否かを調べ（Ｗ２）、レリーズ釦３７が押されると、撮像時点において制御部２０からの信号により、ＡＥＢモードに設定されているか否かを検出する（Ｗ３）。
【０１４２】
検出結果から撮像時にＡＥＢモードに設定されている場合には、ＡＥＢ撮影された画像のブラケットフラグをオン（＝１）とする（Ｗ４）。
【０１４３】
また、ＡＥＢモードに設定されていない場合には、撮影された画像のブラケットフラグをオフ（＝０）とする（Ｗ５）。
【０１４４】
各画像のブラケット検出結果は、図５（ｃ）に示す撮像状態検出フラグテーブル８２の各画像Ｎｏ．１〜ｍの対応するブラケットフラグ領域に格納される。
【０１４５】
図５（ｃ）の例では、画像Ｎｏ．１、Ｎｏ．２、Ｎｏ．３の画像がＡＥＢモードで撮影されており、Ｎｏ．１〜Ｎｏ．３の画像のブラケットフラグがオン（＝１）の状態（不要画像あり）が示されている。
【０１４６】
撮像状態検出フラグテーブル８２は、メモリーカード５１に画像データを記録すると同時に、画像データの撮像状態を表す情報として、メモリーカード５１に記録される。
【０１４７】
また、メモリーカード５１に記録された画像のＮｏ．と撮像状態フラグテーブル８２の画像Ｎｏ．は対応しており、各画像データと各画像の撮影日時及びブラケットフラグは対応している。
【０１４８】
図１３は、再生モード選択時の液晶表示部４０の表示切替え及び表示された画像の選択切替えを示すフローチャートである。
【０１４９】
また、図１４は、再生モード選択時の画像選択画面の一例を示す図であって、（ａ）は全て選択可能な状態の図、（ｂ）は一部選択可能な状態の図である。
【０１５０】
ＣＰＵ２１は、撮影／再生モード切替えスイッチ３５が再生モードに設定されているか否かを検出する（Ｘ１）。
【０１５１】
次に、空き容量検出手段（不図示）により、メモリーカード５１の空き容量を検出し、メモリーカード５１の空き容量が所定量以上であるか否かを調べる（Ｘ２）。
【０１５２】
メモリーカード５１の空き容量が所定量以上あり、次に撮影される画像データがメモリーカード５１に記録可能な場合には、簡易選択モード釦３４が簡易選択モードに設定されているか否かを調べる（Ｘ３）。
【０１５３】
簡易選択モードに設定されていない場合には、図１４（ａ）に示すように、メモリーカード５１に記録されている全ての画像を液晶表示部４０に９枚ずつインデックス表示し、十字キー３６で選択フレーム２００を移動させ、決定釦３８で決定することにより、液晶表示部４０に表示されている全ての画像が選択可能となる（Ｘ８）。
【０１５４】
メモリーカード５１の空き容量が所定量未満であり、次に撮影される画像データが記録不可な場合、または、Ｘ３で、簡易選択モードに設定されている場合には、メモリーカード５１に既に記録されている画像データの撮像状態フラグテーブル８２のブラケットフラグを検出し、全ての画像Ｎｏ．１〜ｍのブラケットフラグがオフ（＝０）であるか否かを調べる（Ｘ４）。
【０１５５】
全ての画像Ｎｏ．１〜ｍのブラケットフラグがオフ（＝０）である場合には、図１４（ａ）に示すように、簡易選択モードに設定されていない場合と同様に、液晶表示部４０にメモリーカード５１に記録されている全ての画像を９枚ずつインデックス表示し、十字キー３６で選択フレーム２００を移動させ、決定釦３８で決定することにより、液晶表示部４０に表示されている全ての画像が選択可能となる（Ｘ８）。
【０１５６】
次に、メモリーカード５１に記録された画像の中にブラケットフラグオン（＝１）の画像（同じシーンを連続して撮影した画像）グループが存在する場合（Ｘ５）には、図１４（ｂ）に示すように、液晶表示部４０にメモリーカード５１に記録されている全ての画像を９枚ずつインデックス表示する。
【０１５７】
ただし、撮像状態検出フラグテーブル８２のブラケットフラグを検出し、ブラケットフラグオン（＝１）に対応するイラストデータをＲＯＭ４５のイラストデータ登録リスト４５２より読み出して、ＡＥＢモードで撮影された画像の下にＡＥＢモードで撮影されたことを表すイラスト４５７を表示し（Ｘ６）、十字キー３６で選択フレーム２００を移動させ、決定釦３８で決定することにより、ブラケットフラグオン（＝１）の画像（同じシーンを連続して撮影した画像）が選択可能となる（Ｘ７）。
【０１５８】
このとき、ブラケットフラグオフ（＝０）の画像は液晶表示部４０にグレー表示され、選択不可能となる（図１４（ｂ））。
【０１５９】
なお、Ｘ１で撮影／再生モード切替えスイッチ３５が再生モードに設定されているか否かを検出するかわりに、撮影／再生モードの切替えを自動的に行うようにしてもよい。図１５を用いて説明する。
【０１６０】
図１５は、メモリーカード５１を交換した場合における撮影／再生モードの切替え動作を示すフローチャートである。
【０１６１】
ＣＰＵ２１は、記録部５０にメモリーカード５１が挿入されたか否かを検出する（Ｙ１）。
【０１６２】
次に、メモリーカード５１の空き容量を検出し、メモリーカード５１の空き容量が所定量以上であるか否かを調べる（Ｙ２）。
【０１６３】
メモリーカード５１の空き容量が所定量以上あり、次に撮影される画像データがメモリーカード５１に記録可能な場合には、撮影／再生モード切替えスイッチ３５の検出結果に関わらず、ＣＰＵ２１を介して自動的に撮影モードに切り替わり、撮影待機状態に入る（Ｙ３）。
【０１６４】
メモリーカード５１の空き容量が所定量未満であり、次に撮影される画像データが記録不可な場合には、撮影／再生モード切替えスイッチ３５の検出結果に関わらず、ＣＰＵ２１を介して自動的に再生モード（簡易選択モード）に切り替わり、液晶表示部４０にメモリーカード５１に記録されている全ての画像を９枚ずつインデックス表示し、画像選択画面になる（Ｙ４）。
【０１６５】
以下、液晶表示部４０の表示切替え及び表示された画像の選択切替えについては、図１２，図１３のフローチャートに基づいて行われる。
【０１６６】
なお、本実施例では自動露出補正によるブラケット（ＡＥＢ）撮影したか否かで画像の要不要を判別したが、自動ストロボ調光量補正によるブラケット撮影（ＦＥＢ）やホワイトバランスによるブラケケット撮影やＩＳＯ感度によるブラケット撮影などで判別してもよい。
【０１６７】
本実施例では、再生モード時にメモリーカード５１に記録された画像データを液晶表示部４０にインデックス表示するように説明したが、一枚ずつ表示させてもよい。
【０１６８】
また、不良画像及び連続して撮影された類似画像以外の画像をグレー表示させて選択不能としているが、非表示としてもよい。
【０１６９】
以上本発明の実施例について説明したが、本発明は上記実施例に限定されるものではなく、種々の変形実施が可能であることはいうまでもない。
【０１７０】
【発明の効果】
以上のように、本発明によれば、
再生モード選択時に、画像判別手段の判別結果に従って、記録媒体に記録された画像の内、不良と判断された画像のみを選択可能とすることにより、不良画像の選択、消去作業が迅速に行えるようになる。
【０１７１】
また、
再生モード選択時に、画像判別手段の判別結果に従って、記録媒体に記録された画像の内、類似画像と判断された画像のみを選択可能とすることにより、不要な類似画像の選択、消去作業が迅速に行えるようになる。
【０１７２】
また、
記録媒体の空き容量が所定量より少なくなり、撮影した画像が記録不可能な状態になった場合においても、再生モード選択時に、画像判別手段の判別結果に従って、記録媒体に記録された画像の内、不良と判断された画像のみを選択可能とすることにより、不良画像の選択、消去作業が迅速に行えるようになり、迅速な撮影動作への移行が可能となる。
【０１７３】
また、
記録媒体の空き容量が所定量より少なくなり、撮影した画像が記録不可能な状態になった場合においても、再生モード選択時に、画像判別手段の判別結果に従って、記録媒体に記録された画像の内、類似画像と判断された画像のみを選択可能とすることにより、不要な類似画像の選択、消去作業が迅速に行えるようになり、迅速な撮影動作への移行が可能となる。
【０１７４】
また、
記録媒体の交換を行った場合において、交換した記録媒体の空き容量が所定量より多い場合には、自動的に撮影モードに切り替わることにより、迅速な撮影動作への移行が可能となる。また、交換した記録媒体の空き容量が所定量より少ない場合には、自動的に再生モードに切り替わることにより、迅速な不良画像の選択、消去作業への移行が可能となる。
【０１７５】
また、
記録媒体の交換を行った場合において、交換した記録媒体の空き容量が所定量より多い場合には、自動的に撮影モードに切り替わることにより、迅速な撮影動作への移行が可能となる。また、交換した記録媒体の空き容量が所定量より少ない場合には、自動的に再生モードに切り替わることにより、迅速な不要類似画像の選択、消去作業への移行が可能となる。
【図面の簡単な説明】
【図１】本実施形態のデジタルカメラの回路構成例を示すブロック図であって、（ａ）はデジタルカメラの回路構成図、（ｂ）は制御部の拡大図
【図２】実施例のカメラに登録されているイラストデータの例を示す説明図
【図３】本実施例のカメラの外観図であって、（ａ）は平面図、（ｂ）は背面図
【図４】撮像状態検知手段の構成を示すブロック図
【図５】撮像状態検出フラグテーブルの例を示す図であって、（ａ）は実施例１のフラグテーブルを示す図、（ｂ）は実施例２のフラグテーブルを示す図、（ｃ）は実施例３のフラグテーブルを示す図
【図６】撮像状態分析及び判別動作の一例を示すフローチャート
【図７】再生モード選択時の表示部４０の表示切替え及び表示画像の選択切替えを示すフローチャート
【図８】再生モード選択時の画像選択画面の一例を示す図であって、（ａ）は全て選択可能な状態の図、（ｂ）は一部選択可能な状態の図
【図９】撮影インターバルによる画像の要不要の判別動作の一例を示すフローチャート
【図１０】再生モード選択時の表示部４０の表示切替え及び表示画像の選択切替えを示すフローチャート
【図１１】再生モード選択時の画像選択画面の一例を示す図であって、（ａ）は全て選択可能な状態の図、（ｂ）は一部選択可能な状態の図
【図１２】ブラケット撮影による画像の要不要の判別動作の一例を示すフローチャート
【図１３】再生モード選択時の表示部４０の表示切替え及び表示画像の選択切替えを示すフローチャート
【図１４】再生モード選択時の画像選択画面の一例を示す図であって、（ａ）は全て選択可能な状態の図、（ｂ）は一部選択可能な状態の図
【図１５】メモリーカード５１交換時における撮影／再生モードの切替え動作の一例を示すフローチャート
【符号の説明】
１１  光学系
３４  簡易選択モード釦
３５  撮影／再生モード切替えスイッチ
３６  十字キー
３７  レリーズ釦
３８  決定釦
３９  ＡＥＢモード釦
４０  表示部
１００  デジタルカメラ
Ｇ  グレー表示された画像
【図１】
2004186886.tif 000003
【図２】
2004186886.tif 000004
【図３】
2004186886.tif 000005
【図４】
2004186886.tif 000006
【図５】
2004186886.tif 000007
【図６】
2004186886.tif 000008
【図７】
2004186886.tif 000009
【図８】
2004186886.tif 000010
【図９】
2004186886.tif 000011
【図１０】
2004186886.tif 000012
【図１１】
2004186886.tif 000013
【図１２】
2004186886.tif 000014
【図１３】
2004186886.tif 000015
【図１４】
2004186886.tif 000016
【図１５】
2004186886.tif 000017